(57)【要約】【課題】歌唱者が個別の選曲操作をしなくても複数のカラオケ曲を自動的に選曲することができるカラオケ装置を提供する。【解決手段】曲がＩＤ付きの予約であるかを判断し、ＩＤ付きの予約曲であれば演奏スタート時にＩＤを表示して、複曲選曲機能で選曲された曲はその曲である旨および誰が選曲したものであるかを知らせるようにする。たとえば、複曲選曲操作をした利用者毎の記号（アイコン）を、選曲操作時に決めておき、これを曲スタート時の曲名と一緒に表示するなどである。【選択図】図６
2008233936.tif 000002
【特許請求の範囲】
【請求項１】
カラオケ曲を演奏するための楽曲データを複数記憶した記憶手段と、
歌唱者の識別コードを入力する入力手段と、
カラオケ曲の曲番号を順序をつけて複数記憶する予約曲リストと、
複数のカラオケ曲を選択し、選択したカラオケ曲に前記識別コードを付与して前記予約曲リストに一括登録する制御手段と、
を備え、
前記制御手段は、前記予約曲リストに記憶された曲番号の順序に応じてカラオケ曲の演奏を行い、前記識別コードが付与されたカラオケ曲を演奏するときに前記識別コードを歌唱者に告知するカラオケ装置。
【発明の詳細な説明】
【技術分野】
【０００１】
この発明は、自動選曲を行うカラオケ装置に関する。
【背景技術】
【０００２】
一般的なカラオケ装置における選曲操作は、曲名と曲番号を対応づけた目次本で所望の曲の曲番号を調べ、その曲番号をリモコンから装置本体に入力するというものであった。また、ランダムに選曲して演奏する方式も提案されていた。
【０００３】
一方、カラオケ曲を歌唱したとき、その歌唱によって消費されたカロリー量を表示する機能を備えたカラオケ装置も提案されている。
【発明の開示】
【発明が解決しようとする課題】
【０００４】
上記一般的な選曲方式では、歌う曲を自分で考えたうえその曲番号を目次本で探すという作業が面倒であり、歌う曲に迷った場合にはどの曲を探してよいか分からなくなるという問題点があった。また、従来のランダム選曲機能は、歌唱者の好みなど歌唱者に関する要件が全く考慮されず単に複数の曲をランダムに選曲するだけの機能であったため、選曲された曲に対する歌唱者の親しみが湧きにくく面白みがすくなかった。
【０００５】
この発明は、歌唱者が個別の選曲操作をしなくても複数のカラオケ曲を自動的に選曲することができるカラオケ装置を提供することを目的とする。
【課題を解決するための手段】
【０００６】
この発明は、カラオケ曲を演奏するための楽曲データを複数記憶した記憶手段と、歌唱者の識別コードを入力する入力手段と、カラオケ曲の曲番号を順序をつけて複数記憶する予約曲リストと、複数のカラオケ曲を選択し、選択したカラオケ曲に前記識別コードを付与して前記予約曲リストに一括登録する制御手段と、を備え、前記制御手段は、前記予約曲リストに記憶された曲番号の順序に応じてカラオケ曲の演奏を行い、前記識別コードが付与されたカラオケ曲を演奏するときに前記識別コードを歌唱者に告知することを特徴としている。
【０００７】
この発明では、歌唱者が個別の選曲操作をしなくても複数のカラオケ曲を自動的に選曲する。歌唱者はどの曲が選曲されたかがわからないため、選曲されたカラオケ曲の演奏時に歌唱者の識別コードを用いて歌唱者に告知する。このように歌唱者に代わって自動選曲することにより、歌唱者を選曲操作から解放することができるとともに、趣向の異なる新たな曲を歌唱させることができる。また、この場合において、カラオケ曲にボーカルデータを付属させておき、歌唱者が歌唱できない場合には自動的にボーカルが出力されるようにすれば、知らない曲が選曲された場合でもカラオケ演奏のみになって興ざめになることがなく、歌唱者もボーカルの出力について歌唱を練習することができる。また、自動選曲の範囲は全ての曲から行ってもよいが、曲のジャンルなどで限定することにより、歌唱者が全く知らない曲が選曲される可能性が低くなる。
【発明の効果】
【０００８】
この発明によれば、歌唱者が個別の選曲操作をしなくても複数のカラオケ曲を自動的に選曲することができ、選曲されたカラオケ曲の演奏時に歌唱者の識別コードを用いて歌唱者に告知するため、歌唱者はどの曲が選曲されたかがわからなくなることがない。
【発明を実施するための最良の形態】
【０００９】
図１はこの発明の実施形態であるカラオケ装置のブロック図である。このカラオケ装置は、ＤＶＤチェンジャ４にセットされるＤＶＤやハードディスク１７に記憶されている楽曲データを読み出し、これを音源装置１８に入力することによってカラオケ曲の楽音を形成・出力するものである。利用者が、どのカラオケ曲の楽曲データを選択して読み出すかをカラオケ装置に対して指示する選曲操作は、一般的にはリモコン装置８からカラオケ装置本体１に対して曲番号を送信することによって行う。また、この実施形態のカラオケ装置では、利用者が消費したいカロリー量を入力することにより、この入力された程度のカロリーを歌唱によって消費する曲を自動選曲するカロリー選曲機能を備えている。このため、曲番号、曲名、ジャンルなどを対応づけたインデックステーブルにはその曲を歌唱することによりどの程度のカロリーを消費するかの消費カロリー量が記憶されている。
【００１０】
図１において、この実施形態のカラオケ装置は、複数のコンポーネントからなるシステムであり、カラオケ装置本体１，コントロールアンプ２，音声信号処理装置３，ＤＶＤ（ディジタル・ビデオ・ディスク）チェンジャ４，スピーカ５，モニタ６，マイク７および赤外線のリモコン装置８で構成されている。カラオケ装置本体１はこのカラオケ装置全体の動作を制御する。該カラオケ装置本体１の制御装置であるＣＰＵ１０には、内部バスを介してＲＯＭ１１，ＲＡＭ１２，ハードディスク記憶装置１７，通信制御部１６，リモコン受信部１３，表示パネル１４，パネルスイッチ１５，音源装置１８，音声データ処理部１９，文字表示部２０，表示制御部２１が接続されるとともに、上記外部装置であるコントロールアンプ２，音声信号処理装置３およびＤＶＤチェンジャ４がインタフェースを介して接続されている。
【００１１】
ＲＯＭ１１にはこの装置を起動するために必要な起動プログラムなどが記憶されている。装置の動作を制御するシステムプログラム，カラオケ演奏実行プログラムなどはハードディスク記憶装置１７に記憶されている。カラオケ装置の電源がオンされると上記起動プログラムによってシステムプログラムやカラオケ演奏プログラムがＲＡＭ１２に読み込まれる。
【００１２】
ハードディスク記憶装置１７には、上記プログラムを記憶するプログラム記憶エリアのほか、楽曲データを記憶する楽曲データ記憶エリアなどが設定されている。楽曲データ記憶エリアは、数千曲分の楽曲データを記憶することができ、配信センタ９が定期的にダウンロードしてくる新曲の楽曲データや楽曲データとともにダウンロードされるインデックステーブルなどが記憶されている。
【００１３】
前記ＲＡＭ１２には、装置の起動時にハードディスク記憶装置１７からプログラムを読み込むプログラム記憶エリア、リクエストされたカラオケ曲の曲番号を登録する予約曲リスト、複数のカラオケ曲を歌唱して消費したカロリーの合計を記憶する総消費カロリー記憶エリア、演奏されるカラオケ曲の楽曲データを読み込む実行曲データ記憶エリアなどが設定される。
【００１４】
通信制御部１６はＩＳＤＮ回線を介して配信センタ９と接続される。配信センタ９は、定期的にカラオケ装置に対して電話を掛け、新曲の楽曲データや新しいインデックステーブルなどを配信する。
【００１５】
リモコン装置８は、テンキーなどのキースイッチを備えており、利用者がこれらのスイッチを操作するとその操作に応じたコード信号を赤外線で出力する。利用者は、テンキーを用いてカラオケ装置本体１に対して曲番号を入力するとともに、カロリー消費量を入力する。リモコン受信部１３はリモコン装置８から送られてくる赤外線信号を受信して、そのコード信号を復元しＣＰＵ１０に入力する。ＣＰＵ１０は、リモコン装置８から曲番号が入力されると、この曲番号を、ＲＡＭ１２に設定されている予約リストに登録する。
【００１６】
表示パネル１４およびパネルスイッチ１５は、カラオケ装置本体１の前面に設けられている。パネルスイッチ１５は、前記リモコン装置８と同様の曲番号入力用のテンキーやモード切換スイッチなどを備えている。表示パネル１４は、現在演奏中の曲番号や予約曲数を表示する。
【００１７】
文字表示部２０は、モニタ６の表示領域に対応するＶＲＡＭを備えている。このＶＲＡＭには文字パターンに展開されたカラオケ曲の歌詞が書き込まれる。文字コードとして楽曲データの歌詞トラックに記憶されている歌詞を文字パターンに展開する作業はＣＰＵ１０が行う。ＣＰＵ１０は文字コードをパターンに展開したのち、表示座標に対応するＶＲＡＭ上のアドレスにこれを書き込む。この文字パターンは、映像信号として表示制御部２１に入力される。また、カラオケ演奏時はＤＶＤチェンジャ４は背景映像を再生し、この映像信号も表示制御部２１に入力される。表示制御部２１は、文字パターンを背景映像にスーパーインポーズで合成してモニタ６に表示する。
【００１８】
表示制御部２１は、文字表示部２０の映像信号とＤＶＤチェンジャ４の映像信号をスーパーインポーズ合成するのみでなく、文字表示部２０から入力される映像信号の一部または全部をフェードイン、フェードアウトすることができる。
【００１９】
なお、ＤＶＤチェンジャ４には６枚程度のＤＶＤをセットすることができ、そのうち数枚には上記背景映像が記録されており、他の数枚には定番となっているカラオケ曲の楽曲データが記録されている。この定番曲がリクエストされたとき、ＤＶＤチェンジャ４は、まずその楽曲データを読み出してＲＡＭ１２の実行曲データ記憶エリアに書き込み、こののち背景映像のＤＶＤを再生する。
【００２０】
音源装置１８は、楽曲データ（楽音トラックのイベントデータ）に基づいて楽音を形成し、形成した楽音に対してエフェクト制御トラックで指定されたエフェクトを付与してコントロールアンプ２に出力する。
【００２１】
音声データ処理部１９は、楽曲データに含まれる音声データを再生する。音声データはバックコーラスやガイドボーカルからなっている。これらのバックコーラスデータやガイドボーカルデータは、曲全体のうち実際にコーラスやボーカルがある部分のみを切り出した複数の部分データとして記憶されているため、どの部分データをどのタイミングで再生するかはバックコーラス位置指定データ、ガイドボーカル位置指定データによって指定される。バックコーラスおよびガイドボーカルはＰＣＭ信号として記憶されており、音声データ処理部１９はこれらを再生してコントロールアンプ２に入力する。
【００２２】
コントロールアンプ２には、マイク７が接続されており、カラオケ歌唱者の歌唱音声が入力される。コントロールアンプ２は歌唱音声に対して所定のエフェクト（ボーカルエフェクト）を付与するとともに、歌唱音声・カラオケ演奏音をそれぞれイコライジング、ミキシングしたのち増幅してスピーカ５に出力する。
【００２３】
また、音声信号処理装置３は、コントロールアンプ２から歌唱音声を入力して種々のエフェクトを付与する装置である。エコーなどの単純なエフェクトはコントロールアンプ２が単独で付与することができるが、音程のずれを修正したり、他のパートのハーモニー歌唱を作成・付与するなどの処理はこの音声信号処理装置３が行う。ピッチ修正された歌唱音声や新たに作成されたハーモニー歌唱音声などは再度コントロールアンプ２に入力される。また、上記音声のずれの修正やハーモニー歌唱の作成を行うときに歌唱音声の音高や音量を検出するため、これを歌唱分析データとしてＣＰＵ１０に入力する。ＣＰＵ１０はこれを用いてカラオケ歌唱を採点する。
【００２４】
図２は、カラオケ曲を演奏するための楽曲データ、前記インデックステーブルおよび予約曲リストの構成を示す図である。同図（Ａ）は楽曲データの構成を示す図である。楽曲データは、曲名，ジャンル，リリース日などが書き込まれているヘッダ、演奏データが書き込まれている楽音トラック、歌詞データが書き込まれている歌詞トラック、バックコーラス位置指定データが書き込まれているバックコーラストラック、ガイドボーカル位置指定データが書き込まれているガイドボーカルトラック、周辺機器制御データが書き込まれている周辺機器制御トラック、ガイドボーカルの音声データが書き込まれているガイドボーカル部、バックコーラスの音声データが書き込まれているバックコーラス部などからなっている。ヘッダは、上記のようにこの楽曲データに関する種々のデータが書き込まれる部分であり、曲名，ジャンル，発売日，曲の演奏時間などのデータを含んでいる。楽音トラックはガイドメロディのデータを記憶したガイドメロディトラックを含んでいる。
【００２５】
楽音トラック，歌詞トラック，バックコーラストラック、ガイドボーカルトラック、周辺機器制御トラックの各トラックは全て、複数のイベントデータと各イベントデータの読み出しタイミングを示すタイミングデータからなるシーケンスデータとして記述されている。各イベントデータはＭＩＤＩフォーマットで記述されている。シーケンスプログラムは、所定のテンポクロックでタイミングデータをカウントし、カウントデータをカウントアップしたときこれに続くイベントデータを読み出して所定の処理部へ出力する。タイミングデータは、曲の先頭からの時間で記述してもよく直前のイベントからの間隔で記述してもよい。楽音トラックのイベントデータは、楽音を発生するためのデータであるため、ＭＩＤＩの汎用フォーマットで記述することができる。これ以外のデータは通常のＭＩＤＩメッセージではないが、インプリメンテーションの統一をとり、作業工程を容易にするためこのトラックもシステムエクスクルーシブメッセージとしてＭＩＤＩフォーマットで記述されている。
【００２６】
同図（Ｂ）は、インデックステーブルの構成を示す図である。インデックステーブルは、利用者の選曲入力に対応する楽曲データを検索するためのテーブルである。このインデックステーブルには、インデックスカロリー、曲番号、ジャンル、性別、曲名、実際の消費カロリー量のデータが各カラオケ曲毎に記憶されている。実際の消費カロリー量は、歌唱者がこの曲を歌唱したとき実際に消費されるであろうカロリー量である。なお、この数値は物理単位のカロリーで表示されており、５００カロリーは食品の熱量の単位であるＣａｌ（大カロリー）で表すと０．５カロリーである。このインデックスカロリーは、カロリー選曲機能で選曲する場合の目安になるカロリー量である。すなわち、実際の消費カロリー量が４５０カロリー〜５４９カロリーの範囲のカラオケ曲に対しては５００カロリーのインデックスカロリーが付される。曲番号はこのカラオケ曲を識別する識別コードである。ジャンルは、演歌、ポップス、アニメ、新曲などに分類されている。
【００２７】
第１のカロリー選曲機能である単曲選曲機能について説明する。利用者がカロリー量を入力する。この入力されるカロリー量は１００カロリー単位（１００、２００、３００、…）である。カラオケ装置は、インデックスカロリーがこの入力されたカロリー量と一致するカラオケ曲をインデックステーブルから検索し、その曲名を一覧表示する。利用者はそのなかから１曲を選択する。
【００２８】
次に、第２のカロリー選曲機能である複曲選曲機能について説明する。利用者が総カロリー量を入力する。この総カロリー量は１曲で消費するカロリー量に比べて十分に大きいものである（このとき同時にジャンルを指定するようにしてもよい）。そうすると、カラオケ装置は、インデックスカロリーの合計が入力された総カロリー量になるように複数のカラオケ曲を選択し、これを予約曲リストに登録して順次演奏する。
【００２９】
なお、複曲選曲機能で複数の曲を選曲した場合、これを連続して演奏すると同じ歌唱者が連続して歌唱することになるため、予約曲リストに他の歌唱者のリクエスト曲を挟んで登録する。そして、どの曲が複曲選曲機能で選曲されたかをその歌唱者は知らないため、複曲選曲機能で選曲された曲はその曲である旨および誰が選曲したものであるかを知らせるようにする。たとえば、複曲選曲操作をした利用者毎の記号（アイコン）を、選曲操作時に決めておき、これを曲スタート時の曲名と一緒に表示するなどである。
【００３０】
同図（Ｃ）は、予約曲リストを示す図である。このリストは、リクエストされた曲番号を１０曲まで登録することができるものである。選曲された曲番号と対応してその曲を選曲した歌唱者のアイコンを記憶するとともに、カロリー選曲機能で選曲された曲の場合にはその曲の曲順、すなわち全何曲中の何曲目であるか（ｎ／ｍ）を記憶する。
【００３１】
図３〜図５は同カラオケ装置の動作を示すフローチャート、図６は同カラオケ装置のモニタの表示例を示す図である。図３は単曲選曲機能が実行される単曲選曲モード時の動作を示すフローチャートである。この単曲選曲機能および図４で説明する複曲選曲機能の動作はカラオケ装置が実行するスクリプトによって実現されるものであり、モードの選択やカロリーの入力は画面に表示されるボタンをリモコン装置８で選択することによって実行される。
【００３２】
単曲選曲モードになると、利用者がリモコン装置８を操作してカロリー量を入力する（ステップ１０１：以下単に１０１という）。カロリー量は、１００カロリー単位で入力するようになっており、５００カロリーの場合には「５」を入力する。また、図６（Ａ）に示すように複数の食べ物（ラーメン、おにぎり、ダンゴ）を表示し、歌唱者にそのいずれかを選択させるようにしてもよい。そして、選択された食べ物のカロリー量を入力されたカロリー量とする。
【００３３】
カロリー量が入力されると、この入力されたカロリー量と一致するカラオケ曲をインデックステーブルから検索し（１０２）、検索された曲名および曲番号をモニタ６に一覧表示する（１０３：図６（Ｂ））。利用者はこのなかから１曲を選択する（１０４）。１曲が選択されると、そのその曲の曲番号を予約リストに登録する（１０５）。このとき単曲選曲モードであるため、曲順記憶エリアに１曲中の第１曲である旨「１／１」を記憶する。
【００３４】
こののち、この曲の曲順がくると、楽曲データを読み出して演奏する。そして、この曲の演奏が終了すると（１０６）、インデックステーブルに記憶されている実際の消費カロリー量を表示する（１０７）。
【００３５】
図４は、総カロリー量で複数曲を選曲する複曲選曲機能が実行される単曲選曲モード時の動作を示すフローチャートである。複曲選曲モードになると、利用者がリモコン装置８を操作してカロリー量を入力する（１１１）。カロリー量の入力方式は上記単曲選曲モードの場合と同じでよい。次に、利用者が曲のジャンル（１１２）、カロリー消費曲線（１１３）、アイコン（１１４）を選択する。曲のジャンルは、上記のように演歌、ポップス、アニメ、新曲などに分類されている。カロリー消費曲線とは、図７に示すように選曲された複数の曲を配列したときの各曲のカロリー消費量をグラフ化した曲線であり、同図（Ａ）に示すようにアップ・ダウン型、同図（Ｂ）のようにアップ型、同図（Ｃ）のようにダウン型などの曲線を選択することができる。また、アイコンは図６（Ｃ）に示すような図形であり、選択されたアイコンがこの複曲選択をしている利用者を表すものとなる。なお、アイコンに代えて利用者のユーザＩＤを用いてもよい。
【００３６】
以上の情報が入力されると、総カロリー、ジャンルに基づいてインデックステーブルを検索し、インデックスカロリーの合計が総カロリー量になる複数の曲を指定されたジャンルの曲から選択する（１１５）。そして、この複数の曲の曲順を選択されたカロリー消費曲線になるように編集して（１１６）、モニタ６に一覧表示する（１１７）。そしてこれらの曲をユーザＩＤ、曲順とともに予約曲リストに登録する（１１８）。
【００３７】
なお、この複曲選曲モードでは複数の曲が一度に選曲されるため、これらの曲を予約曲リストに一度に登録すると同じ人が連続して何曲も歌唱することになる。そこで、ステップ１１８では、図２（Ｃ）に示すように選曲された複数の曲を１つおきに登録し、他の利用者のリクエスト曲を空欄になっている順位に登録するようにすればよい。また、選曲された曲数が予約曲リストに登録しきれない場合には、予約できなかった曲の曲名や曲番号を他の記憶エリアに記憶しておき、演奏が進んで予約曲リストに空欄ができたときに残りの曲を登録するようにすればよい。
【００３８】
図５は、予約曲に登録されている曲の演奏処理動作を示すフローチャートである。先に演奏していた曲が終了すると、予約曲リストの先頭の曲番号を読み出し（１２１）、その曲の演奏準備を実行する（１２２）。予約曲リストの先頭が空欄の場合にはその次の欄の曲番号を読み出す。曲の演奏準備はハードディスクまたはＤＶＤからその曲番号の楽曲データをＲＡＭに読み出す動作や音源をこの曲の楽音を形成するようにイニシャライズする動作などである。このとき、この曲がアイコンなど歌唱者を識別できるＩＤ付きの予約であるかを判断し（１２３）、ＩＤ付きの場合、そのＩＤが直前に演奏した曲のＩＤと同じであるかを判断する（１２４）。ＩＤが同じである場合には、歌唱者を休憩させるため演奏の開始を一定時間遅延したのち（１２５）演奏をスタートする。この遅延時に、図６（Ｄ）のようなメッセージをモニタ６に表示する。また、ＩＤ付きの予約曲の場合には、演奏スタート時に曲名とともにＩＤを表示して誰が歌唱するものであるかを指示する（１２６：図６（Ｅ））。
【００３９】
こののち演奏を開始し（１２７）、この演奏に合わせて入力される音声を分析した音声分析データを入力する（１２８）。この音声分析は音声信号処理装置３で行われ、歌唱音声の音高や音量などの情報が音声分析データとして入力される。この音声分析データと演奏データ中のガイドメロディデータとを比較することによって歌唱を採点する（１２９）。入力された音声分析データにより歌唱者が全く歌唱していないことが判明したときは、自動的にガイドボーカルの再生をオンにする（１３０、１３２）。この実施形態では、歌唱者が直接曲名を指定しないで選曲するカロリー選曲モードなどの場合、歌唱者がよく知らない曲が選曲される可能性があるため、歌唱音声入力の有無を判断して自動的にガイドボーカルをオンするようにしている。入力音声がある場合には、多少音高などがずれていてもガイドボーカルをオンしない（１３１）。曲が終了するまでステップ１２８以下の動作を繰り返す。
【００４０】
曲が終了した場合には（１３３）、その採点結果を表示するとともに（１３４）、その採点結果が所定の点数以上であるかを判断する（１３５）。所定の点数以上の場合には、正しく歌唱されておりこの曲のカロリーが消費されたとして（１３６）、この曲の実際のカロリー量をインデックステーブルから読み出して表示するとともに（１３７）、複曲選曲モードの曲の場合には（１３８）、総消費カロリー記憶エリアにこの実際の消費カロリー量を加算して（１３９）、図６（Ｆ）のような表示を行って（１４０）動作を終了する。
【００４１】
なお、上記動作では、演奏したカラオケ曲のカロリーが消費されたか否かを採点結果に基づいて１／０で判定するようにしているが、点数に応じた割合が消費されたと判断して消費量を計算するようにしてもよい。
【００４２】
また、カロリー選曲機能においてカロリー量の入力は、リモコンにカロリー入力用のボタンスイッチを設けておき、このボタンスイッチから直接入力するようにしてもよい。
【００４３】
また、インデックステーブルにインデックスカロリーの欄を設けず、入力されたカロリー量と実際の消費カロリー量との誤差が少ないカラオケ曲を選択するようにしてもよい。
【００４４】
また、このカロリー選曲機能をカラオケ装置と別体の選曲専用の選曲装置として実現してもよい。この場合、この選曲装置は、選曲結果をリモコン装置のようにカラオケ装置本体に入力する装置を備える。
【図面の簡単な説明】
【００４５】
【図１】この発明の実施形態であるカラオケ装置のブロック図
【図２】同カラオケ装置のインデックステーブル、楽曲データ、予約曲リストの構成を示す図
【図３】同カラオケ装置の動作を示すフローチャート
【図４】同カラオケ装置の動作を示すフローチャート
【図５】同カラオケ装置の動作を示すフローチャート
【図６】同カラオケ装置のモニタの表示例を示す図
【図７】同カラオケ装置の複曲選択時のカロリー消費曲線の例を示す図
【符号の説明】
【００４６】
１…カラオケ装置本体、２…コントロールアンプ、３…音声信号処理装置、４…ＤＶＤチェンジャ、５…スピーカ、６…モニタ、７…マイク、８…リモコン装置、９…配信センタ、
１０…ＣＰＵ、１１…ＲＯＭ、１２…ＲＡＭ、１３…リモコン受信部、１４…表示パネル、１５…パネルスイッチ、１６…通信制御部、１７…ハードディスク、１８…音源装置、１９…音声データ処理部、２０…文字表示部、２１…表示制御部
【図１】
2008233936.tif 000003
【図２】
2008233936.tif 000004
【図３】
2008233936.tif 000005
【図４】
2008233936.tif 000006
【図５】
2008233936.tif 000007
【図６】
2008233936.tif 000008
【図７】
2008233936.tif 000009